(57)【要約】  カートリッジの挿入により自動的にシャッタの開閉を行うと共に、異音やガタツキ等、カートリッジの装填・排出に影響を与えないシャッタ開閉機構を提供する。  シャッタ開閉機構は、カートリッジ１０内で駆動してカートリッジ１０に設けられたシャッタ１５を開閉させる駆動体１３の一部に対しカートリッジ１０の開口部１１にて係合する従動体１８と、従動体１８の移動を規制し、従動体１８と駆動体１３の一部との係合が解放されるときに従動体１３とカートリッジ１０の開口部１１との接触を回避するように従動体１３の移動を規制するカム機構７、７ａと、を含んで構成されている。
2005057571.tif 000002
【特許請求の範囲】
【請求項１】
カートリッジ内で駆動して前記カートリッジに設けられたシャッタを開閉させる駆動体の一部に対し前記カートリッジの開口部にて係合する従動体と、
前記従動体の移動を規制し、前記従動体と前記駆動体の一部との係合が解放されるときに前記従動体と前記カートリッジの開口部との接触を回避するように前記従動体の移動を規制するカム機構と、
を含んでなることを特徴とするシャッタ開閉装置。
【請求項２】
カートリッジ内で駆動して前記カートリッジに設けられたシャッタを開閉させる駆動体の一部に対し前記カートリッジの開口部にて係合する従動体と、
前記カートリッジが挿入される際に前記従動体の移動を規制し、前記従動体と前記駆動体の一部とが係合していない位置において、前記従動体と前記カートリッジとの間に配置されてなるカム機構と、
を含んでなることを特徴とするシャッタ開閉装置。
【請求項３】
前記カム部は、傾斜部を有し、
前記従動体と前記駆動体の一部との係合が解放されるときに、前記従動体は前記傾斜部に沿って前記駆動体の一部から遠ざかる方向に移動するよう規制されてなることを特徴とする請求項１又は２に記載のシャッタ開閉装置。
【請求項４】
前記従動体は、
前記相対運動によって前記カム機構に摺動する軸と、
当該軸の一端に形成され、前記一部と係合するための凸部と、
を備えていることを特徴とする請求項１に記載のシャッタ開閉装置。
【請求項５】
前記軸は、当該軸の外周に回転自在の回転体を備えていることを特徴とする請求項４に記載のシャッタ開閉装置。
【請求項６】
前記軸の中心は、前記カム機構の先端の位置よりも前記開口部から遠ざかる方向に位置していることを特徴とする請求項４、又は５に記載のシャッタ開閉装置。
【請求項７】
前記カム機構は、前記開口部の両端近傍に形成され、且つ前記従動体と前記一部との係合を解放するときに当該一部から遠ざかる方向に前記従動体を案内するための斜面が形成されていることを特徴とする請求項１に記載のシャッタ開閉装置。
【請求項８】
請求項１〜７のいずれかに記載のシャッタ開閉装置と、前記カートリッジ内に収納された記録媒体の情報の再生を行う再生手段と、を備えたことを特徴とする情報再生装置。
【発明の詳細な説明】
【技術分野】
【０００１】
本願は、例えば光ディスク等の情報記録媒体を収納するためのカートリッジ等に備えられ、当該光ディスク等を保護するシャッタを開閉するためのシャッタ開閉機構を備えた記録媒体駆動装置および情報再生装置の技術分野に関する。
【背景技術】
【０００２】
従来より、上記情報記録媒体を収容しているカートリッジのシャッタ開閉機構は存在する。この従来のシャッタ開閉機構につき、図１乃至図４を用いて具体的に説明する。【０００３】
このようなシャッタ開閉機構は、通常、上記情報記録媒体に対する情報の記録再生を行う図１に示す如き情報再生装置３０に対する上記カートリッジ３５の装填及び排出によって自動的にシャッタが開閉する機構とされている。【０００４】
このとき、当該情報再生装置３０における筐体３１の前面には、当該カートリッジ３５がその装填・排出時に通過するカートリッジ挿入口３１ａが形成されており、更に筐体３１内の一方の側壁には、上記カートリッジ３５の情報再生装置３０に対する装填・排出時における当該情報再生装置３０に対する相対運動によってカートリッジ３５内に備えられたシャッタを開閉するためのシャッタオープナ３２が形成されている。そして、カートリッジ３５は、例えば装填（ローディング）時、上記シャッタオープナ３２に対して相対的に移動することによりカートリッジ３５内の図示しないホイールを回転させることでシャッタを開く。【０００５】
このとき、シャッタオープナ３２は、図２に示すように、カートリッジ３５の移動方向に、ラック３３とそのラック３３の両端部に凸部３４、３４を備える。そして、この凸部３４は、図３に示すように、図示しないバネにより常時カートリッジ３５のハウジング３６側に付勢されている。【０００６】
次に、カートリッジ３５が情報再生装置３０に装填される場合の各部の動作につき、図３を用いて説明する。なお、図３は、左から右にカートリッジ３５が装填されていく状態を示す断面平面図であり、装填されるカートリッジ３５は図３中下から上に向かう方向に装填される。そして、このカートリッジ３５の装填時の移動によるシャッタオープナ３２との相対運動により、カートリッジ３５内の図示しないシャッタが開けられる。【０００７】
図３（ａ）乃至（ｄ）に示すように、カートリッジ３５は、装填時、まずシャッタオープナ３２の一方の凸部３４とホイール３７の外周に形成された二つの凹部３８の一方とが係合し、ホイール３７が図３中反時計方向に回転する（図３（ａ））。【０００８】
次に、カートリッジ３５が更に移動することによるホイール３７の回転の継続に伴ってシャッタオープナ３２のラック３３とホイール３７の外周部の凹部３８間に形成されているラック３９とが噛み合いながら更に回転し（図３（ｂ）及び（ｃ））、これによりシャッタオープナ３２の他方の凸部３４がホイール３７の他方の凹部３８と係合し、シャッタオープナ３２の他方の凸部３４がカートリッジ３５の中央まで移動する（図３（ｄ））ことでシャッタの開口動作が完了する。なお、カートリッジ３５の排出（アンロード）時は、図３（ａ）乃至（ｄ）とは逆の動作が実行されシャッタの閉口動作が実行される。【０００９】
このように、カートリッジ３５のシャッタが、排出時には閉じ、装填時には開くようなシャッタ開閉機構を備える情報再生装置が、以下の各特許文献に開示されている（特許文献１及び２）。【００１０】
【特許文献１】特開２００３−１０９２８２号公報
【特許文献２】特開２００３−１１５１５７号公報
【発明の開示】
【発明が解決しようとする課題】
【００１１】
しかしながら、このような従来の手段等では、カートリッジの装填・排出の際、図４（ａ）又は（ｂ）に示すように、シャッタオープナ３２の凸部３４がカートリッジ３５のハウジング３６と衝突することになってしまい、凸部３４を跳ね上げるため、異音が生じやすいという問題があった。【００１２】
さらに、カートリッジ３５がガタなどにより大きく位置がずれた場合、当該凸部３４とカートリッジ３５のハウジング３６が衝突することでカートリッジ３５の移動が不可能となって装填・排出のための機構全体がロックする可能性があるという問題もあった。【００１３】
一方、カートリッジ３５の装填、排出時においては、当該凸部３４が常にカートリッジ３５の側壁を付勢しているため、装填・排出動作が安定しないなどの問題もあった。【００１４】
そこで、本願は上記各問題点の解決を課題の一例として為されたもので、カートリッジ３５の挿入により自動的にシャッタの開閉を行うと共に、異音の発生やガタツキ等、カートリッジ３５の装填・排出に影響を与えないシャッタ開閉装置を提供することを目的とする。
【課題を解決するための手段】
【００１５】
上記課題を解決するために、請求項１に記載のシャッタ開閉装置は、カートリッジ（１０）内で駆動して前記カートリッジに設けられたシャッタ（１５）を開閉させる駆動体（１３）の一部に対し前記カートリッジの開口部（１１）にて係合する従動体（１８）と、前記従動体の移動を規制し、前記従動体と前記駆動体の一部との係合が解放されるときに前記従動体と前記カートリッジの開口部との接触を回避するように前記従動体の移動を規制するカム機構（７、７ａ）と、を含んでなることを特徴とする。【００１６】
また、請求項２に記載のシャッタ開閉装置は、カートリッジ内で駆動して前記カートリッジに設けられたシャッタを開閉させる駆動体の一部に対し前記カートリッジの開口部にて係合する従動体と、前記従動体を前記カートリッジの側に付勢する付勢手段と、前記従動体の移動を規制し、前記従動体と前記駆動体の一部とが係合していない位置において、前記従動体と前記カートリッジとの間に位置されてなるカム機構と、を含んでなることを特徴とする。【００１７】
なお、本発明においては、シャッタ開閉装置は前記従動体を前記カートリッジの側に付勢する付勢手段（１７）をさらに備えてもよい。
【図面の簡単な説明】
【００１８】
【図１】従来のカートリッジの概要構成図である。
【図２】従来のシャッタオープナの概要構成図である。
【図３】従来のカートリッジのシャッタ開閉機構の動作図である。
【図４】従来のカートリッジのシャッタ開閉機構の動作拡大図である。
【図５】本実施形態に係るカートリッジの概要構成例を示す図である。
【図６】本実施形態に係る情報再生装置（本願の情報再生装置の一例）の概要構成例を示す図である。
【図７】カートリッジのシャッタ開閉機構の動作例を示す図である。
【図８】従動ピンの他の実施形態を示す図である。
【図９】図８に示す従動体を従来例に適用した場合の一例である。
【図１０】図８に示す従動体を従来例に適用した場合の一例である。
【図１１】図６に示す板バネにアームを適用した場合の従動ピンとカートリッジとの関係を示す一例である。
【符号の説明】
【００１９】
２    情報再生装置
７、７ａ    カム
１０    カートリッジ
１１    開口部
１３    ホイール
１５    シャッタ
１７    板バネ
１８    従動ピン
【発明を実施するための最良の形態】
【００２０】
以下、本願の最良の実施形態について、図５乃至図１０を用いて詳細に説明する。なお、以下に説明する実施の形態は、光ディスクプレーヤ等の情報再生装置に対して本願を適用した場合の実施形態である。なお、本発明において「情報再生装置」を一例として説明するが、本発明は後述する本発明のシャッタ開閉装置を含むものであればこれに限定されない。すなわち、本発明は情報を再生する情報再生装置に限られず、情報の記録を行う情報記録装置、さらにはこれら再生機能と記録機能とを備えた情報記録再生装置に対しても適用が可能なものである。【００２１】
なお、当該情報再生装置とは、具体的には、図５に示す後述のカートリッジ１０に収容されている光ディスクをターンテーブル等の回転駆動部により回転駆動させつつ、光ディスクに対して光ピックアップを半径方向に移動させながら映像や音声等の情報の再生を行う装置である。なお、本発明でいう「情報再生装置」とは、このような情報の再生機能に加え、情報を光ディスクに対して記録する記録機能を備えた情報記録再生装置を含むものとする。【００２２】
また、この場合の光ディスクとして具体的には、ＣＤ−ＲＯＭ（Compact Disc-Read Only Memory）、ＣＤ−ＤＡ（CD-Digital Audio）、ＣＤ−Ｒ（CD-Recordable）、ＣＤ−ＲＷ（CD-Re Recordable）、Ｖｉｄｅｏ−ＣＤ、ＣＤ−Ｇ（CD-Extended Graphics）、ＤＶＤ−ＲＯＭ（Digital Versatile Disc-ROM）、ＤＶＤ−Ｖｉｄｅｏ、ＤＶＤ−Ａｕｄｉｏ、ＤＶＤ−Ｒ、ＤＶＤ−ＲＷ、ＤＶＤ−ＲＡＭ、Ｂｌｕ−ｒａｙ  Ｄｉｓｃ等を含むものである。【００２３】
先ず、図５を参照して、本願に係るカートリッジ自体の構成について説明する。【００２４】
図５に示すように、本願に係るカートリッジ１０は、側部に後述する開口部を有するカートリッジ本体１０ａを有する。このカートリッジ本体１０ａは、図示しない上部カートリッジ本体と、下部カートリッジ本体１０ｂと、を備える。【００２５】
そして、カートリッジ本体１０ａの内部には、当該内部で回転可能にホイール１３が備えられ、そのホイール１３の周方向の一部がカートリッジ本体１０ａの開口部から露出して形成される。なお、このホイール１３が本発明の駆動体として例示される。また、下部カートリッジ本体１０ｂには、カートリッジ１０自体が装填・排出される上記情報再生装置のピックアップ部が光ディスク１２にアクセスするために半径方向に所定の開口１０ｃを備える。また、ホイール１３には連結部材１４を介してシャッタ１５が備えられている。さらに、このホイール１３には、上記情報再生装置のピックアップ部が光ディスク１２にアクセスするために半径方向に所定の開口１３ｄを備える。このホイール１３の上部には、光ディスク１２が装填されている。また、シャッタ１５は、ホイール１３の回転に連動し、連結部材１４を介して開閉する。また、ホイール１３には周方向の一部に、後述するラック１６と噛合うラック１３ｂが形成されている。また、ラック１３ｂの両端部近傍には後述する従動ピンと係合するための凹部１３ｃ、１３ｃが形成されている。さらに、この従動ピンが本発明の「従動体」として、凹部１３ｃが本発明の「駆動体の一部」として例示される。【００２６】
すなわち、本実施例においては、上記のラック、従動ピンと凹部などが、情報再生装置とカートリッジとの係合関係を規定しているが、同様の機能を奏しえる限りにおいてこれに限られないことは言うまでもない。【００２７】
このカートリッジ１０は、情報再生装置の後述する開口からトレー５によって装填・排出される。これにより、カートリッジ１０は情報再生装置の後述する筐体の内部に備えられているラックや従動ピン等に対して相対運動する。【００２８】
次に、本願に係る上記情報再生装置について、図６乃至図１０を用いて説明する。【００２９】
本願に係る情報再生装置の概要構成例である図６に示すように、情報再生装置２は、偏平な直方体状の筐体２ａを備えている。この筐体２ａの前面には、光ディスクを内包するカートリッジ１０がその装填・排出時に通過する横長の開口４が形成されている。【００３０】
一方、筐体２ａの内部には、この開口４から引き出し可能又は筐体２ａの内部に引き込み可能にトレー５が備えられている。そして、このトレー５は、カートリッジ１０を載置できる位置まで引き出されると共に光ピックアップ部により記録又は再生を行う記録又は再生位置まで引き込まれる。【００３１】
また、図示しないが、このトレー５には駆動ユニットが接続され、更に、当該駆動ユニットにはモータ等の駆動部が取り付けられている。この駆動ユニットや駆動部は筐体２ａの内部に収容されている。【００３２】
そして、トレー５は、この駆動ユニット等が駆動することにより筐体２ａの内部に引き込まれ、又は筐体２ａの外部に引き出される。【００３３】
また、トレー５は、そのほぼ中央部にカートリッジ１０を載置するための凹部を有すると共に、トレー５には光ディスクから情報を読出し、又は光ディスクへ情報を書込むための開口を有する。【００３４】
更に、トレー５の一方の側部には従動ピン１８を案内するためのカム７、７ａを備えている。このカム７、７ａは、トレー５の凹部にカートリッジ１０を載置した際に、カートリッジ本体１０ａに形成されている開口部１１の両端部近傍に位置するように配置されている。また、カム７、７ａの先端は、開口部１１の内部に臨むように配置されている。これにより、カートリッジ１０の装填・排出時において従動ピン１８がカートリッジ本体１０ａに接触するのを防止できる。【００３５】
また、開口部１１の近傍に相当する範囲のカム７、７ａは、互いに対向する面が開口部１１側に傾斜するように斜面が形成されている。この斜面により、カム７、７ａは、従動ピン１８をカートリッジ１０に近接させ、又はカートリッジ１０から離隔させるように機能する。これに加えて、カートリッジ１０の装填・排出時における従動ピン１８の移動をスムース且つ滑らかにするため、従動ピン１８の移動によって発生する異音等を低減できる。【００３６】
また、筐体２ａ内部の一方の側壁には、トレー５の移動方向に、カートリッジ１０のシャッタ１５を開閉するための上記従動ピン１８等の部材を支持するための支持体２７が固定に取り付けられている。この支持体２７は、ラック１６と、当該ラック１６の両端部に板バネ１７、１７を介して設けられる上記従動ピン１８、１８と、を備えている。【００３７】
更に各従動ピン１８は、カートリッジ１０に対する当該従動ピン１８の相対運動によってカム７、７ａに摺動する軸１８ａと、当該軸１８ａの一端に形成されていると共に後述するホイール１３の凹部１３ｃと係合するための凸部１８ｂと、を備えている。一方、板バネ１７は、各従動ピン１８がカートリッジ１０側に付勢されるように取り付けられる。更に、各凸部１８ｂは、カートリッジ１０に対する相対運動によって移動する各従動ピン１８の軸１８ａの中心位置が常にカム７、７ａの先端位置よりもカートリッジ１０の開口部１１から遠ざかる方向に位置するように設計されている。これらにより、カートリッジ１０に対する相対運動によって当該相対運動の方向と略垂直な方向に移動する各従動ピン１８をスムースに移動させることができる。【００３８】
なお、筐体２ａの内部には、カートリッジ１０に収納されている光ディスク１２に対して記録或いは再生を行うための様々な機器が収納されている。【００３９】
また、図５及び図６において、ホイール１３は本願の駆動体の一例であり、情報再生装置は本願のカートリッジが装填される装置の一例である。更に従動ピン１８は本願の従動体の一例であり、カム７、７ａは本願のカム機構の一例である。更にまた、板バネ１７は本願の付勢手段の一例である。【００４０】
次に、カートリッジ１０のシャッタ１５を開閉するシャッタ開閉機構について、図７を用いて説明する。また、図５及び図６に対応する部材等については同じ符号を付する。【００４１】
先ず、図７（ａ）に示すように、カートリッジ１０がトレー５に載置され、トレー５が図示しない駆動部等によって情報再生装置２の内部に収納され始めると、一方（情報再生装置２の外部に近い方）の従動ピン１８の軸１８ａは、カム７ａに沿って摺動しつつ移動し、カートリッジ本体１０ａの開口部１１の一方の端部近傍に臨む。更に、カム７ａによって案内された一方の従動ピン１８の凸部１８ｂがホイール１３の開口部１１から露出した一方の凹部１３ｃと係合してカートリッジ１０に対して移動し、ホイール１３を回転させる。【００４２】
この後、更にトレー５が情報再生装置２の内部の奥に収納されることにより、図７（ｂ）に示すように、一方の従動ピン１８の軸１８ａが他のカム７に案内され、当該従動ピン１８の凸部１８ｂがカートリッジ本体１０ａの開口部１１から待避しつつ、ホイール１３のラック１３ｂと情報再生装置２側に備えられているラック１６とが噛み合い、ホイール１３が更に回転する。【００４３】
次に、図７（ｃ）に示すように、他方の従動ピン１８の軸１８ａがカム７ａによりカートリッジ本体１０ａの開口部１１に案内される。【００４４】
そして更に、トレー５が情報再生装置２の内部の奥に収納されることにより、図７（ｄ）に示すように、他方の従動ピン１８の凸部１８ｂがホイール１３の露出した他方の凹部１３ｃと係合してホイール１３が所定位置まで回転して止まる。このホイール１３の回転にともなって連結部材１４を介してシャッタ１５が開口する。その際、他方の従動ピン１８の凸部１８ｂがホイール１３の凹部１３ｃに係合しているため、ホイール１３が何らかの要因で逆回転するのを防止している。そのため、シャッタ１５の開口も全開状態で安定する。【００４５】
一方、カートリッジ１０の排出時においてトレー５が引き出され始めると、図７（ｄ）に示すように、他方の従動ピン１８の凸部１８ｂがホイール１３の露出した他方の凹部１３ｃと係合してホイール１３を逆回転させる。【００４６】
その後、更にトレー５が外部に引き出されることにより、図７（ｃ）に示すように、他方の従動ピン１８の軸１８ａが一方のカム７ａに案内されてカートリッジ本体１０ａの開口部１１から待避しつつ、ホイール１３のラック１３ｂと情報再生装置２に備えられているラック１６とが噛み合いホイール１３を回転する。【００４７】
次に、更にトレー５が外部に引き出されることにより、図７（ｂ）に示すように、一方の従動ピン１８の軸１８ａは他方のカム７に沿って摺動しつつ移動し、カートリッジ本体１０ａの開口部１１の他方の端部近傍に臨む。【００４８】
その後更にトレー５が外部に引き出されることにより、図７（ａ）に示すように、一方の従動ピン１８の凸部１８ｂがホイール１３の露出した一方の凹部１３ｃと係合して更にホイール１３が所定位置まで逆回転して止まる。このホイール１３の逆回転にともなって連結部材１４を介してシャッタ１５が閉口する。【００４９】
更に、トレー５が外部の引き出し位置まで完全に引き出されることにより、一方の従動ピン１８の軸１８ａが一方のカム７ａに案内されてカートリッジ本体１０ａの開口部１１から待避する。【００５０】
ここで、図８に示すように、従動ピン１８の軸１８ａは、外周に回転自在の回転体２０（例えば、ローラ等）を備えるようにしてもよい。このようにすれば、筐体２ａに対するカートリッジ１０の相対運動によって従動ピン１８の軸１８ａがカム７、７ａを移動する際に、回転体２０が転がりながらカム７、７ａに摺動するため摩擦抵抗が低減されスムースな動作が可能となる。【００５１】
なお、ここで、上述してきた従来技術において同様な改善を行うならば、図９に示すように、シャッタオープナ２２の凸部２３の先端を軸２４と回転体２５で構成することが考えられる。しかしながら、このように構成すると、図１０に示すように、カートリッジ１０のホイール１３に形成された凹部１３ｃとシャッタオープナ２２の凸部２３とが嵌合した際、凸部２３が凹部１３ｃから抜けやすくなりホイール１３を必要量だけ回転させられない可能性がある。また、カートリッジの装填時は、ピックアップ部が光ディスクの表面に近づくため、シャッタ１５は必ず開口している必要がある。そのため、ホイール１３の回転が不完全だとシャッタ１５が完全に開口しないため、最悪の場合、ピックアップ部がシャッタ１５に衝突し破損される場合が考えられる。よって、従来の技術において回転体２５を適用することはできないと考えられる。【００５２】
また、図６に示した従動ピン１８をカートリッジ１０側に付勢する板バネ１７を省いた場合について図１１を用いて説明する。【００５３】
図１１は図６に示す板バネにアームを適用した場合の従動ピンとカートリッジとの関係を示す一例である。なお、図１１において、図６と共通する部分には同一符号を付し、それらの説明を省略する。【００５４】
図１１に示すように、トレー５の一方の側部には従動ピン１８を案内するためのカム溝４１が形成されている。このカム溝４１は、カートリッジ１０に対する相対運動によってカム溝４１に沿って移動する従動ピン１８がカートリッジ本体１０ａに形成されている開口部１１に臨むとともに当該開口部１１から離れる際に、当該開口部１１やカートリッジ本体１０ａとの接触を回避するように形成される。また、カム溝４１は、カートリッジ本体１０ａの開口部１１の両端部近傍に曲部４１ａ、４１ａが形成されている。カム溝４１は、この曲部４１ａにより、従動ピン１８をカートリッジ１０に近接させ、又はカートリッジ１０から離隔させるように機能する。これにより、カートリッジ１０の装填・排出時において従動ピン１８がカートリッジ本体１０ａに接触するのを防止できる。【００５５】
また、図示しない筐体２ａ内部の一方の側壁に取り付けられている支持体２７のラック１６の両端部には回動軸４２を介してアーム４３が取り付けられている。また、アーム４３の先端には従動ピン１８が取り付けられる。【００５６】
これらにより、カートリッジ１０に対する相対運動によって、従動ピン１８の軸１８ａがカム溝４１に沿って摺動し、従動ピン１８がカム溝４１によって規制されるので、従動ピン１８をスムースに移動させることができる。【００５７】
以上のように、従動ピン１８は必ずしもカートリッジ１０側に付勢されている必要はなく、例えば、上述したように従動ピン１８を図６に示す板ばね１７に変えて、回動軸４２によって回動するアーム４３を介してラック１６に取り付け、当該従動ピン１８がトレー５に形成したカム溝４１に沿って移動するようにしてもよい。【００５８】
以上説明したように、上記実施形態によれば、本願に係るシャッタ開閉機構としてのシャッタ開閉装置は、カートリッジ１０内で駆動してカートリッジ１０に設けられたシャッタ１５を開閉させるホイール１３の一部に対しカートリッジ１０の開口部１１にて係合する従動ピン１８と、従動ピン１８の移動を規制し、従動ピン１８とホイール１３の一部との係合が解放されるときに従動ピン１８とカートリッジ１０の開口部１１との接触を回避するように従動ピンの移動を規制するカム７、７ａと、を含んで構成されている。また、言い換えれば、カートリッジ１０内で駆動してカートリッジ１０に設けられたシャッタ１５を開閉させるホイール１３の一部に対しカートリッジ１０の開口部１１にて係合する従動ピン１８と、従動ピン１８の移動を規制し、従動ピン１８とホイール１３の一部とが係合していない位置において、従動ピン１８とカートリッジ１０との間に位置されてなるカム７、７ａと、を含んで構成されている。【００５９】
よって、カートリッジ１０に従動ピン１８が接触することがなくなり、異音の発生を防止できる。また、従動ピン１８は、カム７、７ａによって案内されるため、カートリッジ１０と接触することなく、装填・排出時の動作が安定する。また、また、従動ピン１８は、カートリッジ１０と接触しないため、カートリッジ１０がガタなどにより大きく位置がずれた場合でも装置がロックすることがない。【００６０】
更に、具体的には、カム７、７ａは、傾斜部を有し、従動ピン１８とホイール１３の一部との係合が解放されるときに、従動ピン１８は傾斜部に沿ってホイールの一部から遠ざかる方向に移動するよう規制される。よって、スムース且つ確実に従動ピン１８をカートリッジ１０から退避させることができる。【００６１】
また、従動ピン１８は、相対運動によってカム７、７ａに摺動する軸１８ａと、軸１８ａの一端に形成され、前記ホイール１３の一部と係合するための凸部１８ｂと、を備えている。また、軸１８ａは、軸１８ａの外周に回転自在のローラ２０を備えるようにしてもよい。このようにすれば、情報再生装置２に対するカートリッジ１０の相対運動によって移動する従動ピン１８の軸１８ａがカム７、７ａを摺動する際の音を低減できる。また、従動ピン１８の軸１８ａにローラ２０（回転体）を用いることにより、カム７、７ａを摺動する際の摩擦抵抗を少なくできるため、従動ピン１８の軸１８ａがカム７、７ａを摺動する動作音等を減少できる。【００６２】
また、従動ピン１８の軸１８ａの中心は、カム７、７ａの先端の位置よりもカートリッジ１０の開口部１１から遠ざかる方向に位置していることが好ましい。このようにすれば、従動ピン１８がカートリッジ１０に直接接触しないため、スムースに従動ピン１８が移動する。【００６３】
また、カム７、７ａは、カートリッジ１０の開口部１１の両端近傍に形成され、且つ従動ピン１８とホイール１３の一部との係合を解放するときに当該一部から遠ざかる方向に従動ピン１８を案内するための斜面が形成されていることが好ましい。このようにすれば、スムース且つ確実に従動ピン１８をカートリッジ１０から退避させることができる。【００６４】
また、上記シャッタ開閉装置と、カートリッジ１０内に収納された光ディスク１２の情報の再生を行う再生手段と、を備えていてもよい。このようにすれば、カートリッジ１０のシャッタ１５を自動的に開閉して光ディスク１２を再生することが可能となる。【００６５】
なお、上記実施形態におけるシャッタ開閉機構は、カートリッジ１０を情報再生装置２の筐体２ａ内の記録再生位置まで装填し、又はカートリッジ１０をトレー５上に載置するための引き出し位置まで排出する情報再生装置２に適用しているが、いわゆるスロットイン式の情報再生装置に適用することもできる。
【図１】
2005057571.tif 000003
【図２】
2005057571.tif 000004
【図３】
2005057571.tif 000005
【図４】
2005057571.tif 000006
【図５】
2005057571.tif 000007
【図６】
2005057571.tif 000008
【図７】
2005057571.tif 000009
【図８】
2005057571.tif 000010
【図９】
2005057571.tif 000011
【図１０】
2005057571.tif 000012
【図１１】
2005057571.tif 000013
【手続補正書】
【提出日】平成17年3月25日(2005.3.25)
【手続補正００１】
【補正対象書類名】特許請求の範囲
【補正対象項目名】請求項１
【補正方法】変更
【補正の内容】
【請求項１】カートリッジの開口部を介し、前記カートリッジのシャッタを開閉させるホイールに設けられた凹部に係合する従動体と、
前記従動体と前記凹部との係合が解放されるとき、前記カートリッジの本体と前記従動体との接触を回避するように前記従動体の移動を制御するカム機構と、
を含んでなることを特徴とするシャッタ開閉装置。
【手続補正００２】
【補正対象書類名】特許請求の範囲
【補正対象項目名】請求項２
【補正方法】変更
【補正の内容】
【請求項２】カートリッジの開口部を介し、前記カートリッジのシャッタを開閉させるホイールに設けられた凹部に係合する従動体と、
前記カートリッジが挿入される際に前記従動体の移動を規制し、前記従動体と前記ホイールの凹部とが係合していない位置において、前記従動体と前記カートリッジとの間に配置されてなるカム機構と、
を含んでなることを特徴とするシャッタ開閉装置。
【手続補正００３】
【補正対象書類名】特許請求の範囲
【補正対象項目名】請求項３
【補正方法】変更
【補正の内容】
【請求項３】前記カートリッジの凹部の方向に前記従動体を付勢する付勢手段を備え、
前記カム機構は、傾斜部を有し、
前記従動体と前記ホイールの凹部との係合が解放されるときに、前記付勢手段の付勢力に抗して前記従動体は前記傾斜部に沿って前記ホイールの凹部から遠ざかる方向に移動することを特徴とする請求項１又は２に記載のシャッタ開閉装置。
【手続補正００４】
【補正対象書類名】特許請求の範囲
【補正対象項目名】請求項４
【補正方法】変更
【補正の内容】
【請求項４】前記従動体は、
前記カム機構に摺動する軸と、
当該軸と一体的に形成され、前記凹部と係合するための凸部と、
を備えていることを特徴とする請求項１に記載のシャッタ開閉装置。
【手続補正００５】
【補正対象書類名】特許請求の範囲
【補正対象項目名】請求項７
【補正方法】変更
【補正の内容】
【請求項７】前記カム機構は、前記開口部の両端近傍に形成され、且つ前記従動体と前記凹部との係合を解放するときに当該凹部から遠ざかる方向に前記従動体を案内するためのガイド溝を備えていることを特徴とする請求項１に記載のシャッタ開閉装置。
【手続補正００６】
【補正対象書類名】明細書
【補正対象項目名】０００３
【補正方法】変更
【補正の内容】
【０００３】
５の側壁を付勢しているため、装填・排出動作が安定しないなどの問題もあった。
【００１４】
そこで、本願は上記各問題点の解決を課題の一例として為されたもので、カートリッジ３５の挿入により自動的にシャッタの開閉を行うと共に、異音の発生やガタツキ等、カートリッジ３５の装填・排出に影響を与えないシャッタ開閉装置を提供することを目的とする。
【課題を解決するための手段】
【００１５】
上記課題を解決するために、請求項１に記載のシャッタ開閉装置は、カートリッジ（１０）の開口部（１１）を介し、前記カートリッジのシャッタ（１５）を開閉させるホイール（１３）に設けられた凹部（１３）に係合する従動体（１８）と、前記従動体と前記凹部との係合が解放されるとき、前記カートリッジの本体（１０ａ）と前記従動体との接触を回避するように前記従動体の移動を制御するカム機構（７、７ａ）と、を含んでなることを特徴とする。
【００１６】
また、請求項２に記載のシャッタ開閉装置は、カートリッジの開口部を介し、前記カートリッジのシャッタを開閉させるホイールに設けられた凹部に係合する従動体と、前記カートリッジが挿入される際に前記従動体の移動を規制し、前記従動体と前記ホイールの一部とが係合していない位置において、前記従動体と前記カートリッジとの間に配置されてなるカム機構と、を含んでなることを特徴とする。
【００１７】
なお、本発明においては、シャッタ開閉装置は前記従動体を前記カートリッジの側に付勢する付勢手段（１７）をさらに備えてもよい。
【図面の簡単な説明】
【００１８】
［図１］従来のカートリッジの概要構成図である。
［図２］従来のシャッタオープナの概要構成図である。
［図３］従来のカートリッジのシャッタ開閉機構の動作図である。
［図４］従来のカートリッジのシャッタ開閉機構の動作拡大図である。
［図５］本実施形態に係るカートリッジの概要構成例を示す図である。
［図６］本実施形態に係る情報再生装置（本願の情報再生装置の一例）の概要構成例を示す図である。
３
【国際調査報告】
2005057571.tif 000014
2005057571.tif 000015